(57)【要約】【課題】複数の凸部５４を有するシボ加工面を表面に形成してなる車両の内装用樹脂成形品において、シボ加工面のシボ模様を維持しつつ、シボ加工面に生じるギラツキや過度の艶を確実に防止する。【解決手段】シボ加工面に設けられる凸部５４の周囲斜面部に、光の反射を抑制するための複数のピンホール５２を形成するようにした。【選択図】図２
2010215065.tif 000002
【特許請求の範囲】
【請求項１】
基面部に対して所定高さ位置に形成される上面部と該上面部の周縁から該基面部側に向かって径方向外側に広がるように延びて該基面部に連接される周囲斜面部とで構成される凸部を複数備えたシボ加工面を表面に形成してなる車両の内装用樹脂成形品であって、
上記複数の凸部の全部又は一部のそれぞれにおける少なくとも周囲斜面部には、該凸部の周方向に互いに所定間隔を隔てて配設され、該周囲斜面部に入射する光を吸収するための複数のピンホールが形成されていることを特徴とする車両の内装用樹脂成形品。
【請求項２】
請求項１記載の車両の内装用樹脂成形品において、
上記所定間隔は、０．５ｍｍ以上１．０ｍｍ以下の範囲内に設定されていることを特徴とする車両の内装用樹脂成形品。
【請求項３】
請求項１又は２記載の車両の内装用樹脂成形品において、
上記各ピンホールの直径は、１００μｍ以上１５０μｍ以下の範囲内に設定されていることを特徴とする車両の内装用樹脂成形品。
【請求項４】
請求項１乃至３のいずれか一項に記載の車両の内装用樹脂成形品において、
上記複数の凸部のうち上記周囲斜面部に上記ピンホールが形成された凸部の上面部にさらに、該上面部における反射を抑制するための複数のピンホールが形成されていることを特徴とする車両の内装用樹脂成形品。
【請求項５】
請求項１乃至４のいずれか一項に記載の車両の内装用樹脂成形品において、
上記内装用樹脂成形品は、上記車両のインストルメントパネル又はドアトリムであり、
上記ピンホールは、上記内装用樹脂成形品における上記車両の車室側面の上部に設けられるシボ加工面の各凸部の少なくとも周囲斜面部に形成されていることを特徴とする車両の内装用樹脂成形品。
【請求項６】
請求項１乃至５のいずれか一項に記載の車両の内装用樹脂成形品において、
上記樹脂成形品は、上記車両のインストルメントパネル又はドアトリムであり、
上記ピンホールは、上記内装用樹脂成形品における上記車両の車室側に膨出するコーナ部に設けられるシボ加工面の各凸部の少なくとも周囲斜面部に形成されていることをを特徴とする車両の内装用樹脂成形品。
【発明の詳細な説明】
【技術分野】
【０００１】
本発明は、表面にシボ加工面を形成してなる車両の内装用樹脂成形品に関する技術分野に属する。
【背景技術】
【０００２】
従来より、車両のインストルメントパネルやドアトリム等に使用される樹脂成形品の表面に、皮革模様、木目模様、又は梨地模様等の立体的な質感を付与するシボ加工面（シボ面）を形成したものが知られている。このシボ加工面は、先ず、金型の成形面にエッチングにより各模様に対応する凹凸を形成しておき、この成形面の凹凸に加熱流動化した樹脂を流し込むことで形成される。
【０００３】
このシボ加工面に形成される凹凸の形状（つまり凹凸を形成する凸部の形状）としては、これまでにも様々なバリエーションが提案されている。
【０００４】
例えば、特許文献１に示す樹脂成形品では、その表面に複数の凸部を形成した後に、各凸部の角部を除去してその側面部を滑らかに傾斜させることで、大きくて滑らかな凹凸を形成するとともに、この凹凸上にさらに微細な凹凸を形成することでシボ加工面を形成するようにしている。
【特許文献１】特開平９−２０２９７９号公報
【発明の開示】
【発明が解決しようとする課題】
【０００５】
ところで、上述のように、シボ加工面の凸部を形成するために金型を用いるものでは、金型の成形面に樹脂を流し込んで冷却固化させた後に、金型を凸部の突出方向に抜き去る必要があるため、例えば、シボ加工面の各凸部の側面部（周囲斜面部）の傾斜角が急角度である場合には、金型を上記突出方向に抜き去る際に、各凸部の周囲斜面部に抜き去り方向の大きな剪断力が作用することとなる。このため、該周囲斜面部の表面が平坦化（鏡面化）されて光を反射し易くなり、延いては、シボ加工面にギラツキや過度の艶が発生するという問題がある。
【０００６】
この問題を解決するために、シボ加工面の各凸部の周囲斜面部の傾斜を緩やかにすることも考えられるが、この場合でも、周囲斜面部の傾斜を略完全に無くさない限りは、ギラツキや過度の艶を確実に抑制することは困難である。また、周囲斜面部の傾斜角を緩やかにし過ぎると、シボ加工面のシボ模様が崩れて、シボデザイン効果が薄れてしまうという問題がある。
【０００７】
本発明は、斯かる点に鑑みてなされたものであり、その目的とするところは、複数の凸部を有するシボ加工面を表面に形成してなる車両の内装用樹脂成形品に対して、その構成に工夫を凝らすことで、シボ加工面のシボ模様を維持しつつ、シボ加工面に生じるギラツキや過度の艶を確実に防止しようとすることにある。
【課題を解決するための手段】
【０００８】
上記の目的を達成するために、この発明では、シボ加工面に設けられる凸部の周囲斜面部に、該周囲斜面部における光の反射を抑制するための複数のピンホールを形成するようにした。
【０００９】
具体的には、請求項１の発明では、基面部に対して所定高さ位置に形成される上面部と該上面部の周縁から該基面部側に向かって径方向外側に広がるように延びて該基面部に連接される周囲斜面部とで構成される凸部を複数備えたシボ加工面を表面に形成してなる車両の内装用樹脂成形品を対象とする。
【００１０】
そして、上記複数の凸部の全部又は一部のそれぞれにおける少なくとも周囲斜面部には、該凸部の周方向に互いに所定間隔を隔てて配設され、該周囲斜面部に入射する光を吸収するための複数のピンホールが形成されているものとする。
【００１１】
この構成によれば、シボ加工面に形成される凸部のうち光が反射し易い周囲斜面部に、複数のピンホールを設けるようにしたことで、周囲斜面部に入射した光をピンホールにて吸収してその反射を抑制することができる。これにより、シボ加工面におけるギラツキや過度の艶を抑制することができ、延いては、シボ加工面の質感を改善してよりリアルなシボ模様を実現することが可能となる。
【００１２】
また、特別な塗装処理や表皮材を使用しなくともシボ加工面の質感を向上させることができて、樹脂成形品の低コスト化を図ることができる。
【００１３】
請求項２の発明では、請求項１の発明において、上記所定間隔は、０．５ｍｍ以上１．０ｍｍ以下の範囲内に設定されているものとする。
【００１４】
この構成によれば、ピンホールを配置するピッチ間隔（所定間隔）を０．５ｍｍ以上としたことで、ピンホールの間隔が狭くなり過ぎてシボ模様が崩れるのを防止（シボデザイン効果が失われるのを防止）することができる。また、上記ピッチ間隔を１．０ｍｍ以下としたことで、ピンホールの間隔が広くなり過ぎて（ピンホールの数が少なくなり過ぎて）ピンホールによる光の反射抑制効果が薄れるのを防止し、延いては、シボ加工面におけるギラツキ及び過度の艶を確実に抑制することができる。
【００１５】
請求項３の発明では、請求項１又は２の発明において、上記各ピンホールの直径は、１００μｍ以上１５０μｍ以下の範囲内に設定されているものとする。
【００１６】
この構成によれば、ピンホールの直径を１００μｍ以上に設定したことで、ピンホールを金型により成形する場合に、ピンホールの深さを十分に確保することができると共に、樹脂成形品表面に付着した乗員の皮脂等によりピンホールが詰まるのを確実に防止することができる。よって、上記凸部の周囲斜面部に入射する光をピンホールにて確実に吸収してその反射を抑制することが可能となる。
【００１７】
また、ピンホールの直径を１５０μｍ以下の範囲内に設定したことで、ピンホールの径が大きくなり過ぎてシボ模様が崩れるのを防止することができる。
【００１８】
請求項４の発明では、請求項１乃至３のいずれか一つの発明において、上記複数の凸部のうち上記周囲斜面部にピンホールが形成された上記凸部の上面部にさらに、該上面部における反射を抑制するための複数のピンホールが形成されているものとする。
【００１９】
この構成によれば、上記各凸部の周囲斜面部に入射する光のみならず上面部に入射した光をもピンホールにて吸収してその反射を抑制することができる。したがって、請求項１の発明と同様の作用効果をより一層確実に得ることができる。
【００２０】
請求項５の発明では、請求項１乃至４のいずれか一つの発明において、上記内装用樹脂成形品は、上記車両のインストルメントパネル又はドアトリムであり、上記ピンホールは、上記内装用樹脂成形品における上記車両の車室側面の上部に設けられるシボ加工面の各凸部の少なくとも周囲斜面部に形成されているものとする。
【００２１】
この構成によれば、インストルメントパネル又はドアトリム（内装用樹脂成形品）の上部に設けられるシボ加工面に、上述の反射抑制機能を有するピンホールを形成するようにしたことで、内装用樹脂成形品の表面のうち車両の乗員から特に目に付き易い部分におけるギラツキや過度の艶を防止することができる。
【００２２】
また、ピンホールを有するシボ加工面を、上記内装用樹脂成形品の上面部にのみ設けるようにすれば、ピンホール成形に必要な金型費を低減することができて、樹脂成形品の低コスト化を図ることが可能となる。
【００２３】
請求項６の発明では、請求項１乃至５のいずれか一つの発明において、上記樹脂成形品は、上記車両のインストルメントパネル又はドアトリムであり、上記ピンホールは、上記内装用樹脂成形品における上記車両の車室側に膨出するコーナ部に設けられるシボ加工面の各凸部の少なくとも周囲斜面部に形成されているものとする。
【００２４】
この構成によれば、インストルメントパネル又はドアトリムの表面のうち曲率が大きくなるために光を反射し易いコーナ部のシボ加工面に、上述の反射抑制機能を有するピンホールを形成するようにしたことで、該シボ加工面でのギラツキや過度の艶を確実に抑制することができる。
【００２５】
また、ピンホールを有するシボ加工面を、上記コーナ部にのみ設けるようにすれば、金型費用を低減して樹脂成形品の低コスト化を図ることが可能となる。
【発明の効果】
【００２６】
以上説明したように、本発明の車両の内装用樹脂成形品によると、シボ加工面に設けられる凸部の周囲斜面部に、該周囲斜面部における光の反射を抑制するための複数のピンホールを形成するようにしたことで、シボ加工面のシボ模様を維持しつつ、該シボ加工面に生じる過度のギラツキや艶を確実に防止して、樹脂成形品の商品性向上を図ることができる。
【発明を実施するための最良の形態】
【００２７】
以下、本発明の実施形態を図面に基づいて詳細に説明する。
【００２８】
（実施形態１）
図１は、本発明の実施形態１に係る内装用樹脂成形品としてのドアトリム１及びインストルメントパネル２を備えた車両の車室前部を示し、このドアトリム１（図では運転席右側のサイドドアのドアトリムのみを示す）及びインストルメントパネル２はそれぞれ、樹脂材（例えばポリプロピレン（ＰＰ）等）を使用した一体成形品からなる。インストルメントパネル２及びドアトリム１の車室内側面（車室内に臨む面）には略全面に亘って、現実の皮革が持つ皮革模様（シボ模様）を施したシボ加工面５０（図３参照）が形成されている。尚、シボ模様としては、皮革模様に限らず、例えば、木目模様や梨地模様等を採用するようにしてもよい。
【００２９】
インストルメントパネル２のパネル上面部３から、該パネル上面部３と該パネル２の側面部４とが交わる部分にて車室側に膨出するパネルコーナ部５に掛けて形成されるシボ加工面５０には、その表面のギラツキや過度の艶を抑制するためのピンホール５２（図２及び図３参照）が形成されている。同様に、ドアトリム１の側面部７の上端部にて該車室側に膨出するトリムコーナ部８に形成されるシボ加工面５０にはピンホール５２が形成されている。
【００３０】
シボ加工面５０は、図３に示すように、基面部５３と、この基面部５３から突出する複数の凸部５４とを有している。
【００３１】
シボ加工面５０に設けられる凸部５４は、基面部５３側ほど拡径する末広がりの略円錐台状を呈している。すなわち、各凸部５４は、基面部５３に対して平行に所定高さ位置（例えば７０μｍ〜１１０μｍ程度の高さ位置）に形成される上面部５５と、該上面部５５の周縁全体から基面部５３側に向かって径方向外側に広がるように延びて該基面部５３に連接される周囲斜面部５６とで構成されている。
【００３２】
上面部５５に対する周囲斜面部５６の傾斜角度θ（上面部５５の延長線と周囲斜面部５６とのなす角度θ）は、シボ加工面５０に付与しようとするシボ模様の形状等に応じて、例えば１３°以上７０°以下の範囲内に設定され、本実施形態では、この角度θは、６５°以上７０°以下と比較的急角度に設定されている。また、各凸部５４の外径Ｄ（上面部５５の外径の最大値）は、各凸部５４ごとに異なるが平均すると略１．２８ｍｍとされている。
【００３３】
周囲斜面部５６の表面の面粗度（例えば中心線平均粗さ(Ra)で表される面粗さ)は、上面部５５に比べてかなり小さい。
【００３４】
これは、上記内装用樹脂成形品１，２（各凸部５４）が金型６０により成形されることに起因している。すなわち、各樹脂成形品１，２は、金型６０の成形面に各凸部５４に対応する凹部６１を予め形成してこの成形面に加熱流動化した樹脂を流し込んで冷却固化させることで形成される。このため、樹脂が冷却固化した後には、金型６０を、冷却固化した凸部５４が崩れないように各凸部５４の突出方向（図３の太い矢印の方向）に引き抜く必要がある。したがって、本実施形態の如く、周囲斜面部５６の傾斜角度θが急角度に設定されている場合には、金型６０を引き抜く際に、周囲斜面部５６の表面には、大きな剪断力（周囲斜面部の表面を擦る方向（図３の細い矢印の方向）の力）が作用して、周囲斜面部５６が平坦化（鏡面化）される。この結果、周囲斜面部５６の表面にて光が反射し易くなり、この反射がシボ加工面５０のギラツキや過度の艶の原因となる。
【００３５】
これに対して、本実施形態では、上記内装用樹脂成形品１，２表面のうちギラツキや艶を抑制しようとする範囲内（インストルメントパネル２表面のパネル上面部３からパネルコーナ部５に至る範囲内、及び、ドアトリム１表面のトリムコーナ部８に対応する範囲内）に含まれるシボ加工面５０において、各凸部５４の周囲斜面部５６にピンホール５２を形成することで、該周囲斜面部５６での光の反射を抑制するようにしている。すなわち、周囲斜面部５６に入射した光の一部は、ピンホール５２に入射して、該ピンホール５２の内壁面にて反射を繰り返すことで減衰していく。こうして、周囲斜面部５６に入射する光をピンホール５２にて吸収することで、周囲斜面部５６における光の反射を、ピンホール５２を設けない場合に比べて抑制し、延いては、シボ加工面５０におけるギラツキ及び過度の艶を抑えることができる。
【００３６】
このピンホール５２は、各凸部５４の周囲斜面部５６に、その周方向に互いに所定間隔を空けて、４個以上８個以下の範囲内で複数個配設されている。この所定間隔、つまりピンホール５２のピッチ間隔ｄは、０．５ｍｍ以上１．０ｍｍ以下の範囲内に設定されている。
【００３７】
ピンホール５２の直径は１００μｍ以上１５０μ以下の範囲内に設定されている。また、ピンホール５２は、有底の止まり穴とされ、その深さは、１００μｍ以上２００μｍ以下の範囲内に設定されている。ピンホール５２の成形は、図４に示すように、金型６０の成形面に、ピンホール５２の形状に対応した棒状凸部６２を設けることで可能になる。
【００３８】
図５は、周囲斜面部５６にピンホール５２を設けない場合と、ピンホール５２を４個設けた場合と、ピンホールを８個設けた場合との各場合において、シボ加工面５０のギラツキ度合を測定した測定結果を示している。
【００３９】
この測定では、微小面光沢度計を用いて、直径が０．２ｍｍの円形の計測範囲を有する測定素子を、シボ加工面５０に沿って０ｍｍ〜３０ｍｍの範囲内でトラバースさせることで、０．２ｍｍ間隔で合計１５０点の測定ポイントにて光沢度を測定すると共に、この光沢度を基にギラツキ度合を取得するようにした。このときの微小面光沢度計は、入射角及び反射角が４５度の測定条件に設定されている。
【００４０】
図５（ａ）乃至（ｃ）は、この取得したデータを、横軸に測定位置をとり且つ縦軸にギラツキ度合（光沢度）をとってグラフ化したものである。これらのグラフから、ピンホールの数を０個→４個→８個と増加させるにしたがって、ギラツキ度合のピーク（ギラツキ度合が局所的に極端に大きくなる測定ポイント）の数が減少し、また、ピーク値も小さくなっていることがわかる。
【００４１】
図６は、上述したピンホール５２の数が０個、４個、及び８個の各場合において、ギラツキ度合が高いものから順に、予め設定した設定数の測定ポイントを選択してそれらの平均ギラツキ度合を算出した上で、ピンホール５２の数が０個の場合を基準に、平均ギラツキ度合の低下量をグラフ化したものである。
【００４２】
この図から、ピンホール５２の数が増加するにしたがって、シボ加工面５０における平均ギラツキ度合の低下量も直線的に増加していくことがわかる。
【００４３】
また、図示しないが、シボ加工面５０の艶の度合（光沢度）についても、ピンホール５２の数が０個、４個、及び８個の各場合ごとに、略矩形状（本実施形態では２０ｍｍ×１０ｍｍの四角形状）の測定範囲を有する通常の光沢度計を用いて、複数箇所の測定ポイントにてデータを取得した。このときの光沢度計は、入射角及び反射角が６０度の測定条件に設定されている。
【００４４】
図７は、この取得したデータを基に、上記ピンホール５２の数が０個、４個、及び８個の各場合ごとに、所定数（本実施形態では５つ）の測定ポイントを選択してそれらの平均艶度合（平均光沢度）を算出した上で、ピンホール５２の数が０個の場合を基準に、平均艶度合の低下量をグラフ化したものである。
【００４５】
この図から、ピンホール５２の数が０個以上４個以下の範囲では、ピンホール５２の数が増加するにしたがって、平均艶度合の低下量も増加することがわかる。但し、ピンホール５２の数が４個以上になると、平均艶度合の低下量は、ピンホール５２を増加させてもあまり変化せず、ピンホール５２の増加による平均艶度合の低減効果が薄れることがわかる。
【００４６】
以上の測定結果によれば、シボ加工面５０におけるギラツキ及び過度の艶の発生を効果的に抑制するためには、ピンホール５２を４個以上設けることが好ましいことがわかる。
【００４７】
ここで、ピンホール５２の数が多過ぎると、ピンホール５２のピッチ間隔ｄが狭くなり過ぎて、シボ模様が崩れてしまうという問題があるが、上記実施形態１では、ピンホール５２の数を４個以上８個以下に設定して、ピンホール５２のピッチ間隔ｄを０．５ｍｍ以上１ｍｍ以下に納めるようにしたことで、ピンホール５２のピッチ間隔ｄが狭くなり過ぎてシボ模様が崩れるのを防止しつつ（シボデザイン効果が失われるのを防止しつつ）、シボ加工面５０における過度の艶やギラツキを確実に抑制することができる。
【００４８】
また、上記実施形態１では、上記各ピンホール５２の直径は、１００μｍ以上１５０μｍ以下の範囲内に設定されており、このことで、ピンホール５２が乗員の皮脂（油分）等により詰まるのを防止することができ、上記凸部５４の周囲斜面部５６に入射した光をピンホール５２にて確実に吸収してその反射を抑制することが可能となる。よって、シボ加工面５０におけるギラツキ及び過度の艶を確実に抑制することができる。
【００４９】
また、上記実施形態１では、インストルメントパネル２表面のパネル上面部３からパネルコーナ部５に掛けての範囲内と、ドアトリム１表面のトリムコーナ部８に対応する範囲内とに設けられるシボ加工面５０にのみ、ピンホール５２を形成するようになっている。
【００５０】
このことで、ドアトリム１及びインストルメントパネル２のうち車両の乗員にから特に目に付き易い部分におけるギラツキ及び過度の艶を抑制して、乗員から見たシボ加工面５０の質感（リアル感や落ち着き感）を向上させることができる。また、ピンホール成形のための金型制作費を極力低減することができ、延いては、インストルメントパネル２及びドアトリム１の製造コストを低減することができる。また、表面の曲率が大きくなるために光を反射し易いコーナ部５，８におけるギラツキ及び過度の艶を確実に防止することができる。
【００５１】
また、上記実施形態１では、ピンホール５２の深さは、１００μｍ以上２００μｍ以下の範囲内に設定されている。このように、ピンホール５２の深さを１００μｍ以上とすることで、ピンホール５２内に入射した光を確実にホール５２内で減衰させることができる。また、ピンホール５２が深過ぎると、ピンホール５２を成形するための金型６０の棒状凸部６２が長くなって破損し易くなるが、ピンホール５２の深さを２００μｍ以下としたことで、棒状凸部６２の耐久性を十分に確保して金型６０の長寿命化を図ることができる。
【００５２】
（実施形態２）
図８は、本発明の実施形態２を示し、ピンホール５２の配置構成を上記実施形態１とは異ならせたものである。尚、シボ加工面５０の凸部５４の形状、ギラツキ度合及び艶度合の測定方法、並びに、平均艶度合及び平均ギラツキ度合の算出方法等は、上記実施形態１と同様であるため、以下の実施形態ではそれらの説明を省略する。
【００５３】
すなわち、本実施形態では、ピンホール５２は、各凸部５４の周囲斜面部５６のみならず、上面部５５にも設けられている。上面部５５に設けるピンホール５２の数は、３個以下とされ、各ピンホール５２は、互いに所定間隔を空けて配設されている。この所定間隔は、例えば０．５ｍｍ以上１．０ｍｍ以下の範囲内に設定される。
【００５４】
図９は、凸部５４の周囲斜面部５６にピンホール５２を４個設けた上で、上面部５５にピンホール５２を２個設けた場合と３個設けた場合との各場合において、上面部５５にピンホール５２を設けない場合を基準として平均艶度合及び平均ギラツキ度合の低下量をグラフ化したものである。
【００５５】
この図から、上面部５５のピンホール５２の数が増加するにしたがって、平均ギラツキ度合及び平均艶度合の低下量が増加することがわかる。特に平均ギラツキ度合の低下量は、平均艶度合の低下量に比べてその増加度合も大きい。
【００５６】
したがって、上記実施形態２の如く、周囲斜面部５６に加えて上面部５５にもピンホール５２を設けることで、シボ加工面５０のギラツキ及び過度の艶をより一層確実に抑制することができる。また、この上面部５５のピンホール５２を３個以下としたことで、各ピンホール５２同士のピッチ間隔ｄを十分に確保することができて、シボ模様が崩れることによるシボデザイン効果の低下を防止することができる。
【００５７】
（実施形態３）
図１０は、本発明の実施形態３を示し、ドアトリム１の構成を上記実施形態１及び２とは異ならせたものである。尚、図１と実質的に同じ構成要素については同じ符号を付してその詳細な説明を適宜省略する。また、以下の説明において、前側、後側はそれぞれ、車両前側、車両後側を意味するものとする。
【００５８】
すなわち、上記各実施形態では、ドアトリム１全体を樹脂材により一体成形したのに対して、本実施形態では、ドアトリム１を複数部分に分割したトリム分割構造を採用しており、ドアトリム１は、ドアトリム１の上側端縁部及び後側端縁部の一部を構成する略Ｌ字状のドアトリムアッパ１ａと、ドアトリム１の下側端縁部及び後側端縁部の一部を構成する略Ｌ字状のドアトリムロア１ｂと、該ドアトリムアッパ１ａ及びドアトリムロア１ｂ間に挟まれたドアトリム本体１ｃと、ドアトリム１の前側端縁部を構成するドアトリムフロント１ｄと、を有しており、ドアトリム本体１ｃはさらにアッパ側本体１ｈとロア側本体１ｋとに２分割されている。ドアトリム本体１ｃの車室側面には、車両前側に向かって斜め上側に延びる第１補強トリム１ｆと、第１補強トリム１ｆの中間部に接続され、車両前後方向に延びる第２補強トリム１ｇと、第２補強トリム１ｇの上面に沿って車両前後方向に延びるアームレストトリム１ｍとが接続されている。
【００５９】
そして、本実施形態では、上記ドアトリム本体１ｃ及びドアトリムアッパ１ａの車室側面全体がシボ加工面５０とされ、このうちドアトリムアッパ１ａに設けられるシボ加工面５０にピンホール５２が形成されている。
【００６０】
これによれば、ピンホール５２を設けてギラツキ及び艶を抑制したシボ加工面５０と、ピンホール５２を有さないシボ加工面５０との境界ライン（見切りライン）が、ドアトリムアッパ１ａとドアトリム本体１ｃとの分割ラインに一致することとなる。このため、ピンホール５２を設けたシボ加工面５０と、ピンホール５２を設けないシボ加工面５０とで、表面のギラツキや艶の度合に差が生じて質感が異なったとしても、ドアトリム１を車室側から見たときにその意匠性（デザイン性）が損なわれることもない。
【００６１】
（他の実施形態）
本発明の構成は、上記実施形態に限定されるものではなく、それ以外の種々の構成を包含するものである。すなわち、上記実施形態１では、各凸部５４の周囲斜面部５６に設けるピンホール５２の数を４個以上８個以下としているが、３個未満であってもよいし９個以上であってもよい。
【００６２】
また、上記実施形態２では、上記各凸部５４の上面部５５に設けるピンホール５２の数を３個以下としているが、４個以上であってもよい。
【００６３】
また、上記実施形態１では、上記各凸部５４の上面部５５に対する周囲斜面部５６の傾斜角度θを６５°以上７０°以下に設定するようにしているが、これに限ったものではなく、６５°未満としてもよいし、７０°を超え且つ９０°未満としてもよい。但し、金型６０を引き抜く際に周囲斜面部５６が鏡面化し易い傾斜角度θは５０°以上９０°未満であり、傾斜角度θがこの範囲内にある場合に、特に、ピンホール５２によるギラツキ及び艶抑制効果が高いといえる。
【００６４】
また、上記各実施形態では、上記インストルメントパネル２表面におけるパネル上面部３からパネルコーナ部５に至る範囲内、及び、ドアトリム１表面におけるトリムコーナ部８に対応する範囲内に形成されるシボ加工面５０にのみピンホール５２を形成するようにしているが、これに限ったものではなく、例えば、ドアトリム１及びインストルメントパネル２の表面全体に亘ってピンホール５２を形成するようにしてもよい。
【００６５】
また、上記各実施形態では、上記各範囲内に形成されるシボ加工面５０において、各凸部５４の全てにそれぞれピンホール５２を形成するようにしているが、これに限ったものではなく、該各範囲内に含まれる複数の凸部５４のうちの一部にのみピンホール５２を形成するようにしてもよい。
【００６６】
また、上記各実施形態では、上記各ピンホール５２は、止まり穴とされているが、貫通孔であってもよい。
【産業上の利用可能性】
【００６７】
本発明は、基面部に対して所定高さ位置に形成される上面部と該上面部の周縁から該基面部側に向かって径方向外側に広がるように延びて該基面部に連接される周囲斜面部とで構成される凸部を複数備えたシボ加工面を、樹脂成形品の表面に形成してなる車両の内装用樹脂成形品に有用であり、特に、樹脂成形品として車両のドアトリムやインストルメントパネルを採用する場合に有用である。
【図面の簡単な説明】
【００６８】
【図１】本発明の実施形態に係る内装用樹脂成形品としてのドアトリム及びインストルメントパネルを備えた車両の車室前部を示す、車両後方斜め左側から見た斜視図である。
【図２】各凸部の周囲斜面部にピンホールを形成してなるシボ加工面の拡大写真である。
【図３】シボ加工面の各凸部の構成を説明するための模式図である。
【図４】ピンホールを有する凸部を成形するための金型を示す模式図である。
【図５】シボ加工面のギラツキ度合を測定した測定結果を示すグラフであって、（ａ）は周囲斜面部にピンホールを設けない場合を示し、（ｂ）はピンホールを４個設けた場合を示し、（ｃ）はピンホールを８個設けた場合を示す。
【図６】凸部の周囲斜面部にピンホールを設けない場合を基準として、ピンホールの数を変化させたときの平均ギラツキ度合の低下量を示すグラフである。
【図７】凸部の周囲斜面部にピンホールを設けない場合を基準として、ピンホールの数を増加させたときの平均艶度合の低下量を示すグラフである。
【図８】実施形態２を示す図２相当図である。
【図９】凸部の上面部にピンホールを設けない場合を基準として、該ピンホールの数を増加させたときの平均ギラツキ度合及び平均艶度合の低下量を示すグラフである。
【図１０】実施形態２に係るドアトリムを示す車幅方向内側から見た図である。
【符号の説明】
【００６９】
１        ドアトリム
２        インストルメントパネル
３        パネル上面部
５        パネルコーナ部
８        トリムコーナ部 
５０      シボ加工面
５２      ピンホール
５３      基面部
５４      凸部 
５５      上面部 
５６      周囲斜面部
【図１】
2010215065.tif 000003
【図３】
2010215065.tif 000004
【図４】
2010215065.tif 000005
【図５】
2010215065.tif 000006
【図６】
2010215065.tif 000007
【図７】
2010215065.tif 000008
【図９】
2010215065.tif 000009
【図１０】
2010215065.tif 000010
【図２】
2010215065.tif 000011
【図８】
2010215065.tif 000012